(57)【特許請求の範囲】
【請求項１】
被着面（４）に密着固定される一対の吸着部（１・１）と、下端部に吸着部（１・１）がそれぞれ固定される一対のジョイント（３・３）と、両端部に各ジョイント（３）の上部がそれぞれ固定される手摺棒（２）とを有する手摺りであって、
各吸着部（１）は、可撓性を有するとともに平板状に形成されて被着面（４）に密着するベース部（５）と、ベース部（５）の上面の中央に当接するドーム形状のパッド（６）と、ベース部（５）の中央部（９ａ）に下端部（１２ａ）が埋設されており、該下端部（１２ａ）から上方向に伸びてパッド（６）の中央を貫通するボルト（１２）と、パッド（６）をベース部（５）側に付勢する付勢手段（１５）とを有し、
ボルト（１２）の上部（１３）が、ジョイント（３）に固定されており、
ベース部（５）が、可撓性を有する平板状のベース板（９）を有し、該ベース板（９）にはボルト（１２）の下端部（１２ａ）が埋設されており、
ベース部（５）およびパッド（６）の上側を覆うベースカバー（７）がジョイント（３）に固定されており、
ボルト（１２）が、ベースカバー（７）の中央（７ａ）を貫通しており、
付勢手段（１５）がゴムパッキンで構成されており、
ゴムパッキン（１５）が、ベースカバー（７）の中央部（７ａ）とパッド（６）の中央との間に圧縮状態で挟み込まれることで、ゴムパッキン（１５）によってパッド（６）がベース部（５）側に付勢されており、
ジョイント（３）を介してボルト（１２）が上側に引っ張られたとき、該ボルト（１２）によりベース部（５）のベース板（９）の中央部（９ａ）が引っ張られることにより、ベース部（５）と被着面（４）との間に真空状の空間が形成されるとともに、ゴムパッキン（１５）の付勢力によりパッド（６）のベース板（９）への押付け状態が維持されることにより、ベース部（５）の一部が被着面（４）から浮き上がって、ベース部（５）が被着面（４）から剥がれることを防止することができるように構成されていることを特徴とする手摺り。
【請求項２】
ベース部（５）が、ベース板（９）の下面側に固定されている平板状のマグネットシート（１１）を有し、
マグネットシート（１１）の磁力でベース部（５）が被着面（４）に密着する請求項１記載の手摺り。
【請求項３】
ベース部（５）を被着面（４）に密着させた状態で当該ベース部（５）の周縁に沿ってパテ（４２）が配置されるようになっており、
ベースカバー（７）が、ジョイント（３）に固定される中央部（３７）と、当該中央部（３７）の外周側に結合してベース部（５）の周縁部を覆う周縁部（３８）とに分離可能になっている請求項１又は２記載の手摺り。
【請求項４】
ベースカバー（７）の中央部（３７）の外周縁（３７ａ）または周縁部（３８）の内周縁（３８ａ）にフック（４０）が設けられており、
当該フック（４０）に対応してベースカバー（７）の周縁部（３８）の内周縁（３８ａ）または中央部（３７）の外周縁（３７ａ）に係止孔（４１）が設けられており、
係止孔（４１）にフック（４０）が係止されることで、ベースカバー（７）の中央部（３７）と周縁部（３８）とが結合する請求項３記載の手摺り。
【請求項５】
ボルト（１２）が、ベースカバー（７）の中央部（３７）を貫通しており、
ボルト（１２）に締め込んだナット（２７）でベースカバー（７）の中央部（３７）をジョイント（３）に固定しており、
ゴムパッキン（１５）が、ベースカバー（７）の中央部（３７）とパッド（６）の中央との間に圧縮状態で挟み込まれることで、ゴムパッキン（１５）によってパッド（６）がベース部（５）側に付勢されている請求項３又は４記載の手摺り。
【請求項６】
マグネットシート（１１）の下面に粘着層（１１ａ）を配置してある請求項２記載の手摺り。
【請求項７】
ベース部（５）が、可撓性を有する平板状のベース板（９）と、ベース板（９）の下面側に固定されており、可撓性を有する平板状の接着シート（１０）とを有し、
接着シート（１０）の接着力でベース部（５）が被着面（４）に密着する請求項１記載の手摺り。  
【発明の詳細な説明】
【技術分野】
【０００１】
本発明は、浴室の壁面等の被着面に容易に取り付けることができる手摺りに関する。
【背景技術】
【０００２】
手摺りの公知例としては、例えば特許文献１乃至３を挙げることができる。特許文献１の手摺りでは、手摺棒を取り付けた吸盤の内面の周縁に接着剤を塗布し、該吸盤をタイル等の被着面に押し付けることで、吸盤の吸着力と接着剤の接着力とで吸盤を被着面に固定している。特許文献２の図４の手摺りでは、手摺棒の両端部にジョイントを介してベース板を連結し、ベース板の下面に固定したマグネットシートの磁力と、そのマグネットシートの下面に配置した接着剤の接着力とで、ベース板を被着面に固定している。
【０００３】
特許文献３の手摺りでは、手摺棒の両端部にジョイントを介して吸着部を連結し、吸着部の下面のエラストマー層を粘着層を介して被着面に吸着固定している。また、吸着部のエラストマー層の中央を操作軸で引き上げ操作することによって、吸着部の吸着力を向上させている。
【先行技術文献】
【特許文献】
【０００４】
【特許文献１】登録実用新案第３０５３３７２号公報（図１−２）
【特許文献２】特開平１１−２９３８８４号公報（図４−６）
【特許文献３】特開２００６−３０８０２５号公報（図１）
【発明の概要】
【発明が解決しようとする課題】
【０００５】
特許文献１の手摺りでは、吸盤は、その中央が高くなる山形状に形成されているため、該吸盤を被着面に押し付けたときに吸盤の内面と被着面との間に空気が残留し易い。このため、被着面に対する吸盤の吸着力の向上に限界があり、吸盤が被着面から剥がれるおそれがある。特許文献２の手摺りでは、例えば、手摺棒に加わる力でジョイントが斜めに大きく傾くと、ベース板もマグネットシートと共に斜めに大きく傾いて、マグネットシートの一部が被着面から浮き上がってしまう。この場合、マグネットシートが被着面から剥がれてしまうことになる。
【０００６】
特許文献３の手摺りでは、エラストマー層の中央を引き上げ操作することで吸着部の吸着力を向上させているが、この引き上げ操作に伴なって粘着層の周縁と被着面との密着面積が小さくなり、これにて粘着層が被着面から剥がれるおそれがある。
【０００７】
本発明は、以上のような問題点を解決するためになされたものであり、吸着部を被着面に固定した状態を確実に維持でき、信頼性に優れた手摺りを提供することを目的とする。
【課題を解決するための手段】
【０００８】
本発明は、図２に示すように、被着面４に密着固定される一対の吸着部１・１と、下端部に吸着部１・１がそれぞれ固定される一対のジョイント３・３と、両端部に各ジョイント３の上部がそれぞれ固定される手摺棒２とを有する手摺りを対象とする。各吸着部１は、可撓性を有するとともに平板状に形成されて被着面４に密着するベース部５と、ベース部５の上面の中央に当接するドーム形状のパッド６と、ベース部５の中央部９ａに下端部１２ａが埋設されており、該下端部１２ａから上方向に伸びてパッド６の中央を貫通するボルト１２と、パッド６をベース部５側に付勢する付勢手段１５とを有し、ボルト１２の上部１３が、ジョイント３に固定されている。ベース部５は、可撓性を有する平板状のベース板９を有し、該ベース板９にはボルト１２の下端部１２ａが埋設されており、ベース部５およびパッド６の上側を覆うベースカバー７がジョイント３に固定されている。ボルト１２は、ベースカバー７の中央７ａを貫通しており、付勢手段１５はゴムパッキンで構成されている。ゴムパッキン１５が、ベースカバー７の中央部７ａとパッド６の中央との間に圧縮状態で挟み込まれることで、ゴムパッキン１５によってパッド６がベース部５側に付勢されている。ジョイント３を介してボルト１２が上側に引っ張られたとき、該ボルト１２によりベース部５のベース板９の中央部９ａが引っ張られることにより、ベース部５と被着面４との間に真空状の空間が形成されるとともに、ゴムパッキン１５の付勢力によりパッド６のベース板９への押付け状態が維持されることにより、ベース部５の一部が被着面４から浮き上がって、ベース部５が被着面４から剥がれることを防止することができるように構成されている。
【０００９】
ベース部５が、図１および図６に示すように、ベース板９の下面側に固定されている平板状のマグネットシート１１を有し、マグネットシート１１の磁力でベース部５が被着面４に密着するものとすることができる。
【００１０】
図６に示すように、ベース部５を被着面４に密着させた状態で当該ベース部５の周縁に沿ってパテ４２が配置されるようになっており、ベースカバー７が、ジョイント３に固定される中央部３７と、ベース部５の周縁部を覆う周縁部３８とに分離可能になっているものとすることができる。
【００１１】
ベースカバー７の中央部３７の外周縁３７ａまたは周縁部３８の内周縁３８ａにフック４０が設けられており、当該フック４０に対応してベースカバー７の周縁部３８の内周縁３８ａまたは中央部３７の外周縁３７ａに係止孔４１が設けられており、係止孔４１にフック４０が係止されることで、ベースカバー７の中央部３７と周縁部３８とが結合するものとすることができる。
【００１２】
ボルト１２が、ベースカバー７の中央部３７を貫通しており、ボルト１２に締め込んだナット２７でベースカバー７の中央部３７をジョイント３に固定しており、ゴムパッキン１５が、ベースカバー７の中央部３７とパッド６の中央との間に圧縮状態で挟み込まれることで、ゴムパッキン１５によってパッド６がベース部５側に付勢されているものとすることができる。
【００１３】
図４に示すように、マグネットシート１１の下面に粘着層１１ａを配置してあるものとすることができる。
【００１４】
また、図８に示すように、ベース部５が、可撓性を有する平板状のベース板９と、ベース板９の下面側に固定されており、可撓性を有する平板状の接着シート１０とを有し、接着シート１０の接着力でベース部５が被着面４に密着するものとすることができる。
【発明の効果】
【００１６】
本発明の手摺りにおいては、各吸着部１を被着面４に押し付けるとベース部５が被着面４に密着する。そして、例えば、手摺棒２が図１の上側に引っ張られたときには、ジョイント３を介してボルト１２が上側に引っ張られる。すると、ボルト１２によってベース部５の中央が上側に引っ張られ、ベース部５の中央と被着面４との間に真空状の空間が形成される。これに伴なって大気圧によってベース部５の中央が前記上側への引っ張り力に抗して被着面４側へ押圧され、ベース部５の被着面４への密着（吸着）状態が維持される。
【００１７】
係るベース部５が平板状に形成されているので、各吸着部１を被着面４に押し付けたときに、ベース部５と被着面４との間に空気が残留し難く、したがって前記残留空気によって被着面４に対するベース部５の吸着力が低下することが抑えられる。また、ベース部５が平板状態で被着面４に密着するので、ベース部５と被着面４との密着面積を大きくでき、ベース部５の吸着力の向上を図ることができる。
【００１８】
付勢手段１５によってパッド６がベース部５側に付勢されるので、例えば、手摺棒２が横方向に押されて、ジョイント３および吸着部１が傾いた場合でも、付勢手段１５の付勢力でパッド６がベース部５に押し付けられた状態を維持することができる（図５参照）。これによってジョイント３および吸着部１の傾きに伴なって、ベース部５の一部が被着面４から浮き上がって、ベース部５が被着面４から剥がれることを防止でき、被着面４から脱落し難い信頼性に優れた手摺りを提供できる。
【００１９】
ベース部５のベース板９の下面にマグネットシート１１が固定されていると、マグネットシート１１の磁力によってベース部５が、鋼板等を内包する被着面４に確実に密着することができる。したがって、ベース部５が被着面４から剥がれることをより確実に防止でき、手摺りの信頼性がより向上する。
【００２０】
ベース部５を被着面４に密着させた状態で当該ベース部５の周縁に沿ってパテ４２を配置すると、ベース部５の周縁から当該ベース部５の下面と被着面４との隙間に空気や水等が侵入してベース部５が被着面４上を滑ることが阻止される。これによって手摺りを被着面４上に確実に固定でき、より信頼性に優れた手摺りを提供できる。加えて、ベースカバー７が中央部３７と周縁部３８とに分離可能であるので、周縁部３８を中央部３７から分離した状態でパテ４２を配置することができる。これによってベースカバー７の周縁部３８がパテ４２の配置の邪魔にならないことになる。そして、パテ４２の配置後に周縁部３８を中央部３７に結合することで、ベースカバー７によってベース部５およびパッド６の上側が覆われて、手摺りの見栄えをよくすることができる。
【００２１】
フック４０を係止孔４１に係止することで、ベースカバー７の中央部３７と周縁部３８とを結合できるようにすると、簡便な操作でベースカバー７を組み立てることができて、手摺りの被着面４上への設置作業の効率化を図ることができる。
【００２２】
マグネットシート１１の下面に粘着層１１ａを配置してあると、ベース部５のマグネットシート１１が被着面４から剥がれることを一層確実に防止でき、手摺りの信頼性が一層向上する。
【００２３】
ベース部５のベース板９の下面に接着シート１０が固定されていると、接着シート１０の接着力によって、鋼板等を内包しない被着面４であってもベース部５を確実に密着させることができる。したがって、これによってもベース部５が被着面４から剥がれることをより確実に防止でき、手摺りの信頼性の向上を図ることができる。
【００２４】
加えて、付勢手段１５がゴムパッキンで構成されると、当該付勢手段１５をコイルバネ等で構成するよりも安価に手摺りを作製できる。
【図面の簡単な説明】
【００２５】
【図１】本発明に係る手摺りの第１実施形態の要部の縦断面図である。
【図２】第１実施形態の手摺りの斜視図である。
【図３】第１実施形態の手摺りの分解斜視図である。
【図４】第１実施形態の手摺りの組み立てを説明するための縦断面図である。
【図５】第１実施形態の手摺りの作用を説明するための縦断面図である。
【図６】本発明に係る手摺りの第２実施形態の要部の縦断面図である。
【図７】第２実施形態の手摺りの分解斜視図である。
【図８】本発明に係る手摺りの第３実施形態の要部の側面図である。
【発明を実施するための形態】
【００２６】
（第１実施形態）  図１乃至図５に、本発明に係る手摺りの第１実施形態を示す。この手摺りは、図２に示すように、浴室の壁面等の被着面４に密着固定される一対の吸着部１・１と、下端部に吸着部１・１がそれぞれ固定される一対のジョイント３・３と、両端部に各ジョイント３の上部がそれぞれ固定される手摺棒２とを有する。なお、説明の都合上、図１に示す吸着部１を手摺りの下側とする。
【００２７】
各吸着部１は、図１および図３に示すように、可撓性を有するとともに平板状に形成されて被着面４に密着するベース部５と、ベース部５の上面の中央に当接するプラスチック製のドーム形状のパッド６と、ベース部５およびパッド６の上側を覆うプラスチック製の山形形状のベースカバー７とを有する。ベース部５は、可撓性を有するとともに中央部９ａが上向きに隆起する四角形の平板状のベース板９と、四角形の接着シート１０を介してベース板９の下側に重ねた四角形の平板状のマグネットシート１１と、ベース板９の中央部９ａに下端部１２ａが埋設固定されており、該下端部１２ａから上方向に伸びる第１ボルト１２とを有する。
【００２８】
第１ボルト１２の上部には、雄ネジ１３が形成されている。接着シート１０の合成樹脂製のシート本体１０ａの上下両面には、図４に示すように、接着層１０ｂ・１０ｂがそれぞれ配置されており、接着シート１０の上側の接着層１０ｂがベース板９の下面に接着されているとともに、接着シート１０の下側の接着層１０ｂにマグネットシート１１の上面が接着されている。
【００２９】
マグネットシート１１は、可撓性を有しており、このマグネットシート１１の磁力によってベース部５が、例えば鋼板を内包する被着面４に密着する。マグネットシート１１の下面には、接着と剥離とを繰り返すことができる再接着性の粘着層１１ａが配置されており、粘着層１１ａの粘着力でマグネットシート１１が被着面４の表面で滑ることを防止している。ベース板９は、アクリロニトリル−ブタジエン−スチレン樹脂（ＡＢＳ樹脂）又はアクリロニトリル−エチレン・プロピレンゴム−スチレン樹脂（ＡＥＳ樹脂）等の可撓性を有する合成樹脂からなる。ベース板９の厚さ寸法は１ｍｍである。
【００３０】
図１に示すように、パッド６の中央には貫通孔６ａが形成されており、該貫通孔６ａに第１ボルト１２が挿入されている。パッド６の外周縁６ｂの下端とパッド６の上壁内面から下向きに延びるリブ６ｃの下端とが、ベース板９の上面の中央に当接している。ベースカバー７の上壁は、その中央側が高くなる傾斜状に形成されており、またベースカバー７の上壁の中央７ａが上側に膨出状に形成されている。
【００３１】
ベースカバー７の中央７ａ内には、リング状のゴムパッキン（付勢手段）１５が配置されており（図３参照）、先の第１ボルト１２が、ベースカバー７の中央７ａおよびゴムパッキン１５の中央を貫通している。そして、第１ボルト１２の雄ネジ１３に螺合する第１ナット１６によって、ベースカバー７の中央７ａがパッド６側へ押され、ゴムパッキン１５が、ベースカバー７の中央７ａの内面とパッド６の中央との間に圧縮状態で挟み込まれ、これによってパッド６がゴムパッキン１５の弾性力でベース板９側へ付勢される。第１ナット１６とベースカバー７の中央７ａとの間には、ワッシャ１７が配置されている。ベースカバー７の上壁内面から下向きに延びるリブ７ｂ・７ｂの下端は、ベース板９の上面の周縁部分に接触している。
【００３２】
ジョイント３は、図１および図３に示すように、上下方向に円弧状に湾曲しており、上端に横向きの円筒状の上連結筒部１８を備えるとともに下端に縦向きの円筒状の下連結筒部１９を備えるプラスチック製のブラケット２０と、手摺棒２の端に装着されるプラスチック製のスペーサ２１とを有する。スペーサ２１は、手摺棒２内に圧入される円柱状の係合部２１ａと、手摺棒２の端から外側へ所定長だけ突出する円柱状の締結部２１ｂとを有する。スペーサ２１の締結部２１ｂの外径寸法は、手摺棒２の外径寸法とほぼ等しくなっている。
【００３３】
ジョイント３のブラケット２０の上連結筒部１８は、一端面（図１では右側）が開放されており、その開放面から上連結筒部１８内にスペーサ２１の締結部２１ｂおよび手摺棒２の端部が嵌め込まれる（図１の状態）。上連結筒部１８の他端面（図１では左側）は、隔壁２２で塞がれており、第２ボルト２３が、隔壁２２を貫通してスペーサ２１に締め込まれる。これにて、ジョイント３の上部が手摺棒２に固定される。
【００３４】
ジョイント３のブラケット２０の下端部の下連結筒部１９は、その下部１９ａ内にベースカバー７の中央７ａが嵌め込まれている。下連結筒部１９の上部１９ｂ内には、仕切り壁２４が設けられている。該仕切り壁２４には第１ボルト１２が貫通しており、第１ボルト１２の雄ネジ１３に螺合する第２ナット２７によって、吸着部１のベース部５およびベースカバー７が、第１ボルト１２を介してジョイント３のブラケット２０に固定されている。第２ナット２７と仕切り壁２４との間には、ワッシャ２８が配置されている。
【００３５】
ベースカバー７の中央７ａの外周面には、複数個の突起３０が設けられている。これらの突起３０が、ブラケット２０の下端部の内面に形成した凹部３１にそれぞれ係合することで、ベースカバー７が、ブラケット２０に対して第１ボルト１２を軸に相対回転することが防止される。
【００３６】
ジョイント３のブラケット２０の湾曲部の外面側は開放されており（図３参照）、その開放面が湾曲形状の化粧カバー３３で覆われている。化粧カバー３３の内面側には、下向きの係合筒３５が設けられており、該係合筒３５が、ブラケット２０の下連結筒部１９の上部１９ｂ内に嵌り込むことで、化粧カバー３３がブラケット２０に係止されている。
【００３７】
本発明の手摺りの組み立て作業の一例を図１ないし図４を参照して説明すると、先ず吸着部１の第１ボルト１２を、パッド６の貫通孔６ａとゴムパッキン１５とベースカバー７の中央７ａとに貫通させ（図４の状態）、第１ボルト１２の雄ネジ１３に第１ナット１６をワッシャ１７を介して締め込む。これによって、ベースカバー７の中央７ａが第１ナット１６によって下方に押され、ゴムパッキン１５の弾性力により、パッド６が吸着部１のベース板９の上面に押し付けられる（図１参照）。
【００３８】
次いで、ジョイント３のブラケット２０の下連結筒部１９にベースカバー７の中央７ａを嵌め込み、第２ナット２７をワッシャ２８を介して第１ボルト１２の雄ネジ１３に締め込んで、吸着部１のベース部５およびベースカバー７をジョイント３に固定する。また、手摺棒２内にスペーサ２１の係合部２１ａを圧入したのち、第２ボルト２３をブラケット２０の隔壁２２を介してスペーサ２１に締め込む。これによって、ジョイント３が手摺棒２に固定され、手摺棒２に吸着部１がジョイント３を介して連結される。この後、化粧カバー３３をブラケット２０に係止して、ジョイント３のブラケット２０の開放面を化粧カバー３３で覆う。これにより、手摺りが完成する（図２参照）。
【００３９】
この手摺りの各吸着部１を、例えば鋼板を内包する被着面４に押し付けることで、各吸着部１の平板状のベース部５が、マグネットシート１１の磁力で被着面４に密着する。さらにマグネットシート１１の下面の粘着層１１ａが被着面４に粘着する。
【００４０】
この状態から、例えば手摺棒２が図１の上側に引っ張られると、ジョイント３を介して吸着部１の第１ボルト１２も上側に引っ張られる。すると、第１ボルト１２によってベース部５の中央が上側に引っ張られて、ベース部５のマグネットシート１１の中央部と被着面４との間に真空状の空間が形成される。
【００４１】
これに伴なって大気圧によってベース部５の中央が、前記上側への引っ張り力に抗して被着面４側（図１では下側）へ押圧され、ベース部５の被着面４への密着状態が維持され、吸着部１が被着面４から脱落することが阻止される。これによって、ベース部５の一部が被着面４から浮き上がって、ベース部５が被着面４から剥がれることを防止できる。
【００４２】
また、例えば、手摺棒２が図５の横方向に押され、手摺りのジョイント３および吸着部１が傾いても（図５の状態）、ゴムパッキン１５の付勢力でパッド６がベース板９に押し付けられた状態が維持される。これによって、ベース部５の一部が被着面４から浮き上がって、ベース部５が被着面４から剥がれることを防止できる。
【００４３】
また、ベースカバー７は、ベース部５のベース板９の上面に接触しているだけであるので、前述のようにジョイント３および吸着部１が傾いても、図５に示すように、ベースカバー７がベース板９から浮き上がるだけであり、ベースカバー７によってベース部５の周縁が捲り上げられてマグネットシート１１と被着面４との間に空気が入り込むことが防止される。この結果、前記空気の入り込みによってベース部５と被着面４との密着状態が阻害されて、吸着部１が被着面４から脱落することが防止される。
【００４４】
また、ベース部５を平板状に形成したので、各吸着部１のベース部５を被着面４に押し付けときに、ベース部５と被着面４との間に空気が残留し難く、したがって該残留空気によって被着面４に対するベース部５の吸着力が低下することが抑えられる。また、ベース部５と被着面４との間の密着面積を大きなものとして、ベース部５の吸着力を的確に確保できる。なお、手摺りを被着面４から強制的に取り外すことで、当該手摺りを他の箇所に付け替えることが可能である。
【００４５】
（第２実施形態）  次に、本発明に係る手摺りの第２実施形態を図６および図７を用いて説明する。第２実施形態では、吸着部１の粘着層１１ａを省略しているとともに、ベースカバー７が、図６および図７に示すように、ジョイント３に固定される四角形状の中央部３７と、ベース部５の周縁部を覆う四角枠状の周縁部３８とに分離可能になっている。
【００４６】
ベースカバー７の中央部３７の外周縁３７ａの四箇所には、切り欠き３７ｂが形成されており、各切り欠き３７ｂの上縁に、下方へ向けて延出するフック４０がそれぞれ設けられている。そして、各フック４０が、ベースカバー７の周縁部３８の内周縁３８ａに形成した四個の係止孔４１にそれぞれ係止されるようになっている（図６の状態）。ベースカバー７の中央部３７の中央７ａは、第１実施形態と同様に上方に膨出しており、当該中央７ａ内にゴムパッキン（付勢手段）１５が配置されている。ベースカバー７の中央部３７の外周縁３７ａ、周縁部３８の内周縁３８ａおよび中央部３７の上壁内面から下向きに延びるリブ３７ｃの下端は、図６に示すように、それぞれベース板９の上面の周縁部分に接触している。
【００４７】
第２実施形態の手摺りの組み立て作業の一例を説明すると、前述の第１実施形態と同様に、先ず吸着部１の第１ボルト１２をパッド６とゴムパッキン１５とベースカバー７の中央部３７とに貫通させ、第１ボルト１２の雄ネジ１３に第１ナット１６をワッシャ１７を介して締め込む。これによって、ベースカバー７の中央部３７が第１ナット１６によって下方に押され、ゴムパッキン１５の弾性力でパッド６が吸着部１のベース板９の上面に押し付けられる。このとき、ベースカバー７の周縁部３８は中央部３７から分離している。
【００４８】
次いで、ジョイント３のブラケット２０にベースカバー７の中央部３７を嵌め込み、第２ナット２７をワッシャ２８を介して第１ボルト１２の雄ネジ１３に締め込んで、吸着部１のベース部５およびベースカバー７の中央部３７をジョイント３に固定する。また、手摺棒２内にスペーサ２１の係合部２１ａを圧入し、第２ボルト２３をブラケット２０の隔壁２２を介してスペーサ２１に締め込んで、ジョイント３を手摺棒２に固定する。このとき、ベースカバー７の周縁部３８は、その内周側に手摺棒２またはジョイント３を通した状態でこれら手摺棒２またはジョイント３に保持されている。この後、化粧カバー３３をブラケット２０に係止して、ジョイント３のブラケット２０の開放面を化粧カバー３３で覆う。
【００４９】
この状態の手摺りの各吸着部１を、例えば鋼板を内包する被着面４に押し付けることで、各吸着部１の平板状のベース部５が、マグネットシート１１の磁力で被着面４に密着する。次いで、ベース部５の周縁に沿ってパテ（充填材）４２を塗布（配置）したのち（図６参照）、ベースカバー７の中央部３７の外側に周縁部３８を嵌め込んで、ベースカバー７の周縁部３８の各係止孔４１に中央部３７のフック４０をそれぞれ係止する。これにより、ベースカバー７の中央部３７と周縁部３８とが結合して一体化し、被着面４への手摺りの取り付けが完了する。その他の点は、第１実施形態と同じであるので、同一部材には同一符号を付して、その説明を省略する。
【００５０】
第２実施形態では、ベース部５の周縁に沿ってパテ４２を塗布するので、ベース部５の周縁から当該ベース部５の下面と被着面４との隙間に空気や水等が侵入してベース部５が被着面４上を滑ることが阻止され、手摺りを被着面４上に確実に固定できる。第２実施形態でも、例えば手摺棒２が上側に引っ張られても、第１実施形態と同様に大気圧によってベース部５の被着面４への密着状態が維持され、吸着部１が被着面４から脱落することが阻止される。また、ジョイント３および吸着部１が傾いても、ゴムパッキン１５の付勢力でパッド６がベース板９に押し付けられた状態が維持される。さらに、ジョイント３および吸着部１が傾いても、ベースカバー７の中央部３７や周縁部３８はベース板９から浮き上がるだけであり、ベースカバー７によってベース部５の周縁が捲り上げられることがない。
【００５１】
また、ベースカバー７が中央部３７と周縁部３８とに分離可能であるので、周縁部３８を中央部３７から分離した状態でパテ４２を塗布することができる。これによってベースカバー７の周縁部３８がパテ４２の塗布の邪魔にならないことになる。そして、パテ４２の塗布後に周縁部３８を中央部３７に結合することで、ベースカバー７によってベース部５およびパッド６の上側が覆われて、手摺りの見栄えがよくなる。係るベースカバー７の中央部３７と周縁部３８とは、ベースカバー７の周縁部３８の係止孔４１に中央部３７のフック４０を係止するといった簡便な操作で結合することができる。
【００５２】
なお、係止孔４１からフック４０を外して中央部３７と周縁部３８とを分離させた状態で、ベース部５の周縁からパテ４２を除去するとともに手摺りを被着面４から取り外すことで、当該手摺りを他の箇所に付け替えることが可能である。
【００５３】
（第３実施形態）  次に、本発明に係る手摺りの第３実施形態を図８を用いて説明する。第３実施形態では、第１実施形態の吸着部１からマグネットシート１１を省略している。つまり、ベース板９には、接着シート１０のみが一体化しており、接着シート１０の下側の接着層１０ｂが被着面４に接着されることになる。第３実施形態においても、付勢手段１５が、ゴムパッキンで構成されており、ボルト１２が、パッド６の上側を覆うベースカバー７の中央７ａを貫通しており、ボルト１２に締め込んだナット２７でベースカバー７をジョイント３に固定している。ゴムパッキン１５は、ベースカバー７の中央７ａとパッド６の中央との間に圧縮状態で挟み込まれることで、ゴムパッキン１５によってパッド６がベース板９側に付勢されている。その他の点は、第１実施形態と同じであるので、同一部材には同一符号を付して、その説明を省略する。
【００５４】
第３実施形態においても、例えば、手摺棒２が上側に引っ張られると、第１ボルト１２によってベース部５の中央が、接着シート１０と共に上側に引っ張られ、接着シート１０の中央と被着面４との間に真空状の空間が形成される。これに伴なって大気圧によってベース部５の中央が、前記上側への引っ張り力に抗して押圧され、吸着部１が被着面４から脱落することが阻止される。また、接着シート１０の接着力によっても、吸着部１が被着面４から脱落することが阻止される。第３実施形態の手摺りは、被着面４が鋼板を内包しておらず、マグネットシート１１を吸着させることができない場合に利用できる。
【００５５】
なお、第３実施形態の接着シート１０の接着力は、第１実施形態の接着シート１０の接着力よりも大きいことが好ましい。第１ないし第３実施形態において、ベース部５は、円形等であってもよい。第２実施形態では、ベースカバー７の中央部３７の外周縁３７ａにフック４０が設けられており、中央部３７の外周縁３７ａに係止孔４１が設けられているが、周縁部３８の内周縁３８ａにフック４０が設けられ、中央部３７の外周縁３７ａに係止孔４１が設けられてもよい。
【符号の説明】
【００５６】
１  吸着部
２  手摺棒
３  ジョイント
４  被着面
５  ベース部
６  パッド
７  ベースカバー
９  ベース板
１０  接着シート
１１  マグネットシート
１２  第１ボルト
１２ａ  下端部
１３  雄ネジ
１５  ゴムパッキン
２７  第２ナット
３７  中央部
３７ａ  外周縁
３８  周縁部
３８ａ  内周縁
４０  フック
４１  係止孔
４２  パテ
【図１】
0005435636.tif 000002
【図２】
0005435636.tif 000003
【図３】
0005435636.tif 000004
【図４】
0005435636.tif 000005
【図５】
0005435636.tif 000006
【図６】
0005435636.tif 000007
【図７】
0005435636.tif 000008
【図８】
0005435636.tif 000009